(57)【要約】【課題】中継基板の損傷を抑制することが可能な遊技機を提供する。【解決手段】裏セット機構８１には、防護カバー８４の下方に電源・発射制御装置９２が設けられている。電源・発射制御装置９２の背面側には、当該電源・発射制御装置９２と前後に重なるようにして払出制御装置９４が設けられている。払出制御装置９４の右方には、外部中継ユニット１５０が設けられている。外部中継ユニット１５０は、ＣＲユニット及び払出制御装置９４が接続される外部中継端子板と、当該外部中継端子板の前面側を覆うカバー部材と、より構成されている。カバー部材の上面部中央及び下面部中央には、外部中継端子板を係止固定するための第２係止爪部が形成されている。また、電源・発射制御装置９２の前面壁部には、外部中継ユニット１５０と対応する位置に、外部中継端子板側へと延びる複数のリブが一体形成されている。【選択図】      図７
2010207306.tif 000002
【特許請求の範囲】
【請求項１】
遊技に関わる制御を行う制御装置と、
前記制御装置と遊技機外部の外部装置を接続する中継基板と
を備えた遊技機において、
前記中継基板は、所定面に前記制御装置又は前記外部装置と電気的に接続される被接続部材を有し、前記所定面と反対側の第２所定面に前記被接続部材と前記中継基板を接続する導電性接続部を有するものであって、
前記所定面側を覆うとともに前記第２所定面側が開放された収容部材に前記中継基板を収容して中継ユニットを構成し、
前記収容部材には、前記導電性接続部が前記収容部材の開放側先端より前記収容部材の内側に位置するよう、前記中継基板を保持する保持部を設け、
前記中継基板と、前記収容部材の開放側を覆うとともに前記中継ユニットが取り付けられる取付部と、の少なくとも一方には、前記導電性接続部を前記中継基板の基板面よりも小さく囲う囲い部を設けたことを特徴とする遊技機。
【発明の詳細な説明】
【技術分野】
【０００１】
本発明は、遊技機に関するものである。
【背景技術】
【０００２】
例えばパチンコ機等の遊技機の背面側には、遊技に関わる各種制御を行う制御装置や、当該制御装置と例えばＣＲユニットやホール管理装置等の外部装置を接続する外部接続用中継基板が設けられている（例えば特許文献１参照）。
【先行技術文献】
【特許文献】
【０００３】
【特許文献１】特開２００８−１８３２５５号公報
【発明の概要】
【発明が解決しようとする課題】
【０００４】
上記構成の遊技機の場合、外部接続用中継基板は、遊技場等において遊技機を設置する際に接続作業がなされるため、制御装置等と比して損傷する可能性が高いことが懸念される。
【０００５】
なお、以上の問題は、パチンコ機に限らず、制御装置と外部装置を接続する中継基板を備えた他の遊技機にも該当する問題である。
【０００６】
本発明は上記例示した事情等に鑑みてなされたものであり、中継基板の損傷を抑制することが可能な遊技機を提供することを目的とするものである。
【課題を解決するための手段】
【０００７】
請求項１記載の発明は、遊技に関わる制御を行う制御装置と、前記制御装置と遊技機外部の外部装置を接続する中継基板とを備えた遊技機において、前記中継基板は、所定面に前記制御装置又は前記外部装置と電気的に接続される被接続部材を有し、前記所定面と反対側の第２所定面に前記被接続部材と前記中継基板を接続する導電性接続部を有するものであって、前記所定面側を覆うとともに前記第２所定面側が開放された収容部材に前記中継基板を収容して中継ユニットを構成し、前記収容部材には、前記導電性接続部が前記収容部材の開放側先端より前記収容部材の内側に位置するよう、前記中継基板を保持する保持部を設け、前記中継基板と、前記収容部材の開放側を覆うとともに前記中継ユニットが取り付けられる取付部と、の少なくとも一方には、前記導電性接続部を前記中継基板の基板面よりも小さく囲う囲い部を設けたことを特徴とする。
【発明の効果】
【０００８】
所定面側を覆うとともに第２所定面側が開放された収容部材に中継基板を収容して中継ユニットを構成することにより、中継基板の損傷を抑制することが可能となる。
【図面の簡単な説明】
【０００９】
【図１】一実施の形態におけるパチンコ機を示す正面図である。
【図２】前扉枠を閉じた状態を示すパチンコ機の斜視図である。
【図３】前扉枠を開いた状態を示すパチンコ機の斜視図である。
【図４】本体枠を開いた状態を示すパチンコ機の斜視図である。
【図５】遊技盤の構成を示す正面図である。
【図６】遊技盤の構成を示す背面図である。
【図７】パチンコ機の構成を示す背面図である。
【図８】（ａ）は、外部中継ユニットを開いた状態を示す拡大斜視図、（ｂ）は、外部中継ユニットの拡大断面図である。
【図９】パチンコ機の電気的構成を示すブロック図である。
【図１０】（ａ）は、他の実施の形態における外部中継ユニットを開いた状態を示す拡大斜視図、（ｂ）は、外部中継ユニットの拡大断面図である。
【図１１】外部中継端子板の分解斜視図である。
【図１２】（ａ）は、他の実施の形態における外部中継ユニットを開いた状態を示す拡大斜視図、（ｂ）は、外部中継ユニットの拡大断面図である。
【図１３】（ａ）は、他の実施の形態における外部中継ユニットを開いた状態を示す拡大斜視図、（ｂ）は、外部中継ユニットの拡大断面図である。
【発明を実施するための形態】
【００１０】
（第１の実施の形態）
以下、遊技機の一種であるパチンコ遊技機（以下、「パチンコ機」という）の一実施の形態を、図面に基づいて詳細に説明する。図１はパチンコ機１０の正面図、図２はパチンコ機１０の斜視図、図３はパチンコ機１０の前扉枠１３を開いた状態の斜視図、図４はパチンコ機１０の本体枠１２を開いた状態の斜視図である。なお、図１〜図３では便宜上、パチンコ機１０の遊技領域内の構成を空白としている。
【００１１】
図１〜図４に示すように、パチンコ機１０は、取付対象としての外枠１１を備えており、該外枠１１の一側部には、本体枠１２が開閉可能に支持されている。その開閉軸線はパチンコ機１０の正面からみて左側に上下へ延びるように設定されており、その開閉軸線を軸心にして本体枠１２が前方に開放できるようになっている。なお、外枠１１に代わる構成として設置枠体を遊技ホール側に予め設けておき、遊技ホールへのパチンコ機１０の設置に際しては本体枠１２を前記設置枠体に組み付ける構成とすることも可能である。
【００１２】
本体枠１２の前面側には、本体枠１２を覆うようにして前面扉としての前扉枠１３が設けられている。前扉枠１３は、本体枠１２に対して開閉可能に取り付けられており、本体枠１２と同様、パチンコ機１０の正面からみて左側に上下に延びる開閉軸線を軸心にして前方に開放できるようになっている。前扉枠１３には、その中央部に略円形状の窓部１４が形成されている。本体枠１２には、窓部１４と対応する位置に、遊技盤１５が着脱可能に装着されている。そして、遊技盤１５の前面部の略中央部分だけが前扉枠１３の窓部１４を通じて視認可能な状態となっている。本実施の形態では、これら本体枠１２、前扉枠１３、遊技盤１５等により遊技機本体が構成されている。
【００１３】
前扉枠１３には、手前側へ膨出した第１膨出部１６が窓部１４の下方に設けられており、その第１膨出部１６内側には、上方に開口した上皿１７が設けられている。上皿１７は、第１払出口１８より払い出された遊技球を一旦貯留し、一列に整列させながら下流側（本実施の形態では右側）へ導くための球受皿である。第１膨出部１６には、上皿１７の下流側に球抜きスイッチ１９が設けられるとともに、上皿１７の前方に貸球操作部２０が配設されている。球抜きスイッチ１９は、上皿１７に貯留された遊技球を排出するために操作されるものである。貸球操作部２０には、球貸しボタン２１と、返却ボタン２２と、度数表示部２３とが設けられている。球貸しボタン２１は、ＣＲユニット（図示略）に挿入されたカード等（記録媒体）の情報に基づいて貸出球を得るために操作されるものであり、カード等に残額が存在する限りにおいて貸出球が払い出される。返却ボタン２２は、ＣＲユニットに挿入されたカード等の返却を求める際に操作される。度数表示部２３は、カード等の残額情報を表示するものである。また、第１膨出部１６の前面側中央部には、遊技者により操作可能なプッシュ式の選択スイッチ２４が設けられている。選択スイッチ２４には図示しないランプが内蔵されており、選択操作が有効とされる状況下ではランプが点灯表示され、選択操作が無効とされる状況下ではランプが消灯表示されるようになっている。そして、当該ランプが点灯表示されている状況下で選択スイッチ２４を操作された場合、図柄表示装置４１の表示モードが変更されるようになっている。
【００１４】
前扉枠１３の下部位置には、手前側へ膨出した第２膨出部２５が設けられており、その第２膨出部２５内側には、上方に開口した下皿２６が設けられている。下皿２６は、第２払出口２７より払い出された遊技球を一旦貯留するための球受皿である。下皿２６には、例えば球抜きレバー１９を操作された場合、上皿１７に貯留された遊技球が第２払出口２７より排出されるようになっている。第２膨出部２５前面側には、下皿２６に貯留された遊技球を下方に排出するための球抜きレバー２８が設けられている。また、第２膨出部２５の右方には、手前側へ突出するようにして遊技球発射ハンドル２９が設けられている。遊技球発射ハンドル２９は、本体枠１２の背面側に設けられた電源・発射制御装置９２（図４参照）と接続されており、電源・発射制御装置９２には、遊技球を発射させるための遊技球発射装置３０（図４参照）が接続されている。このため、上皿１７に貯留された遊技球は、遊技者が遊技球発射ハンドル２９を回転させることにより、遊技盤１５に形成された遊技領域に向けて発射される。
【００１５】
次に、遊技盤１５の構成を図５に基づいて説明する。遊技盤１５には、遊技球発射装置３０より発射された遊技球を遊技盤１５上部に案内する内レール３１と外レール３２が設けられている。内レール３１は右上方の約１／２ほどを除いて略半円環状に形成され、外レール３２は内レール３１の上方開放領域を囲むようにかつ内レール３１の左側部と並行するように略半円環状に形成されている。本実施の形態では、遊技盤１５のうち内レール３１と外レール３２によって囲まれた領域が、遊技球の流下可能な遊技領域となっている。
【００１６】
遊技盤１５には、ルータ加工が施されることによって前後方向に貫通する大小複数の開口部が形成されている。遊技盤１５の表面には、各開口部と対応する位置に、一般入賞口３３、可変入賞装置３４、作動口装置３５、スルーゲート３６及び可変表示ユニット３７等がそれぞれ取り付けられている。作動口装置３５には、上側作動口３５ａと下側作動口３５ｂとが設けられ、更に下側作動口３５ｂには左右一対の可動片よりなる電動役物が設けられている。本実施の形態では、可変表示ユニット３７が遊技盤１５の略中央に配置され、その下方に作動口装置３５が配置され、さらにその下方に可変入賞装置３４が配置されている。また、可変表示ユニット３７の左右両側にスルーゲート３６が配置され、遊技盤１５の下部両側に一般入賞口３３がそれぞれ複数配置されている。
【００１７】
前記一般入賞口３３、可変入賞装置３４及び作動口３５ａ，３５ｂに遊技球が入賞すると、遊技盤１５の背面側に設けられた検出スイッチにより検出され、その検出結果に基づいて上皿１７（場合によっては下皿２６）に対し所定数の賞球が払い出される。
【００１８】
その他に、遊技盤１５の最下部にはアウト口３８が設けられており、各種入賞口等に入らなかった遊技球はアウト口３８を通って図示しない球排出路の方へと案内されるようになっている。また、遊技盤１５には、遊技球の落下方向を適宜分散、調整等するために多数の釘が植設されていると共に、風車３９等の各種部材（役物）が配設されている。
【００１９】
可変表示ユニット３７には、作動口３５ａ，３５ｂへの入賞をトリガとして図柄を変動表示する図柄表示装置４１が設けられている。可変表示ユニット３７には、図柄表示装置４１を囲むようにしてセンターフレーム４２が配設されている。センターフレーム４２の右上部には、所定の識別情報を表示するための第１特定ランプ部４３ａと第２特定ランプ部４３ｂが横並びの状態で設けられている。センターフレーム４２の左上部には、役物ランプ部４４と、該役物ランプ部４４に対応した役物保留ランプ４５が設けられている。遊技球がスルーゲート３６を通過した回数は最大４回まで保留され、役物保留ランプ４５の点灯によってその保留個数が表示されるようになっている。また、センターフレーム４２の左下部には、第１特定ランプ部４３ａ及び図柄表示装置４１に対応した第１保留ランプ４６ａが設けられており、センターフレーム４２の右下部には、第２特定ランプ部４３ｂ及び図柄表示装置４１に対応した第２保留ランプ４６ｂが設けられている。遊技球が作動口３５ａ，３５ｂに入賞した個数はそれぞれ最大４個まで保留され、対応する保留ランプ４６ａ，４６ｂの点灯によってその保留個数が表示されるようになっている。すなわち、上側作動口３５ａに遊技球が入賞した場合には第１保留ランプ４６ａが点灯され、下側作動口３５ｂに遊技球が入賞した場合には第２保留ランプ４６ｂが点灯されるようになっている。
【００２０】
図柄表示装置４１は液晶ディスプレイを備えた液晶表示装置として構成されており、後述する表示制御装置６２により表示内容が制御される。図柄表示装置４１には、例えば上、中及び下に並べて図柄が表示され、これらの図柄が左右方向にスクロールされるようにして変動表示されるようになっている。そして、予め設定されている有効ライン上に所定の図柄の組み合わせが停止表示された場合には、大当たり発生としてそれ以降の遊技状態が特別遊技状態としての大当たり状態に移行する。また、図柄表示装置４１には、各作動口３５ａ，３５ｂに遊技球が入賞した順序を把握可能に各保留個数が表示されるようになっている。
【００２１】
第１特定ランプ部４３ａ及び第２特定ランプ部４３ｂには、その内側に赤、緑、青の３色発光タイプのＬＥＤが配設されている。各特定ランプ部４３ａ，４３ｂは、対応する作動口３５ａ，３５ｂへの入賞をトリガとして、所定の順序で発光色の切り替えが行われる。第１特定ランプ部４３ａを例として具体的に説明すると、上側作動口３５ａへの入賞をトリガとして、赤色光が点灯され、その状態で所定時間が経過すると緑色光に発光色が切り替えられる。そして、緑色光が点灯された状態で前記所定時間が経過すると青色光に発光色が切り替えられる。その後、発光色の切り替え停止時期がくるまで、赤色、緑色、青色という順序で発光色の切り替えが繰り返し行われる。これにより、第１特定ランプ部４３ａには、赤色、緑色、青色が、この順序で繰り返し表示されることとなる。そして、最終的に赤色又は緑色が停止表示された場合には、大当たり発生としてそれ以降の遊技状態が大当たり状態に移行し、青色が停止表示された場合には、大当たり発生とならず大当たり状態に移行しない。第２特定ランプ部４３ｂについても同様であり、下側作動口３５ｂへの入賞をトリガとして、赤色、緑色、青色が、この順序で繰り返し表示されることとなる。そして、最終的に赤色又は緑色が停止表示された場合には、大当たり発生としてそれ以降の遊技状態が大当たり状態に移行し、青色が停止表示された場合には、大当たり発生とならず大当たり状態に移行しない。
【００２２】
役物ランプ部４４には、その内側に赤、緑の２色発光タイプのＬＥＤが配設されている。この役物ランプ部４４は、スルーゲート３６の通過をトリガとして、所定の順序で発光色の切り替えが行われる。具体的には、遊技球がスルーゲート３６を通過すると、赤色光の点灯と緑色光の点灯とが交互に行われる。これにより、役物ランプ部４４には、赤色、緑色が交互に表示されることとなる。そして、赤色が停止表示された場合には、下側作動口３５ｂに設けられた電動役物が開放状態に切り替えられるようになっている。電動役物は、予め定めた閉鎖条件が成立するまで開放状態が継続されるようになっている。
【００２３】
可変入賞装置３４は、通常状態において遊技球が入賞できない閉鎖状態になっており、大当たり状態に移行すると遊技球が入賞しやすい所定の開放状態に切り替えられるようになっている。より詳しくは、可変入賞装置３４が開放状態となると、可変入賞装置３４の大入賞口に遊技球が入賞し易い状態となる。そして、可変入賞装置３４は、開放時間（例えば２９．５秒）の経過又は所定数（例えば９個）の遊技球が入賞した場合に閉鎖状態に切り替えられる。大当たり状態は、可変入賞装置３４が開閉されたことを１ラウンドとして、１５ラウンドの開閉が行われるまで継続する。なお、可変入賞装置３４の閉鎖状態を、遊技球が入賞できない状態ではなく遊技球が入賞し難い状態としてもよい。
【００２４】
前扉枠１３の説明に戻り、前扉枠１３にはその周囲に各種ランプ等の発光手段が設けられている。これら発光手段は、大当たり状態下や所定のリーチ演出時等において点灯、点滅のように発光態様が変更制御されることにより、遊技中の演出効果を高める役割を果たす。例えば、窓部１４の上部周縁に沿ってＬＥＤ等の発光手段を内蔵した電飾部５１が設けられ、電飾部５１の中央であってパチンコ機１０の最上部にはＬＥＤ等の発光手段を内蔵した中央電飾部５２が設けられている。本パチンコ機１０では、中央電飾部５２が大当たりランプとして機能し、大当たり状態下で点灯や点滅を行うことにより大当たり状態に移行していることを報知する。また、第１膨出部１６にも、同じくＬＥＤ等の発光手段を内蔵した上皿電飾部５３が設けられている。さらに、前扉枠１３には、電飾部５１を挟むようにして左右一対のスピーカカバー部５４が形成されており、当該スピーカカバー部５４の後方に設置されたスピーカ５５の出力音がスピーカカバー部５４を通じて前方に発せられるようになっている。
【００２５】
次に、パチンコ機１０の背面の構成を説明する。図６は遊技盤１５の背面図、図７はパチンコ機１０の背面図である。なお、理解を容易なものとするため、先ず遊技盤１５の背面の構成を説明する。
【００２６】
遊技盤１５の背面側には、可変表示ユニット３７及び図柄表示装置４１を覆うようにして合成樹脂製のフレームカバー６１が設けられており、そのフレームカバー６１の後端（図６においては手前側）には、図柄表示装置４１と前後に重なるようにして表示制御装置６２が着脱可能に取り付けられている。また、フレームカバー６１には、表示制御装置６２を覆うようにしてサブ制御装置ユニット６３が取り付けられている。サブ制御装置ユニット６３は、取付台６４を有し、該取付台６４にサブ制御装置６５が搭載されている。サブ制御装置６５は、後述する主制御装置７１からの指令に基づいて、表示制御装置６２や電飾部５１等の制御を行う。サブ制御装置ユニット６３は、何ら工具等を用いずに着脱できるよう構成されるとともに、一部に支軸部を設けて遊技盤１５の裏面に対して展開できる構成となっている。これは、サブ制御装置ユニット６３によって覆われることとなる表示制御装置６２等を容易に確認することを可能とするための工夫である。具体的に説明すると、サブ制御装置ユニット６３には遊技盤１５の背面から見て右端部に支軸部６６が設けられ、その支軸部６６による軸線を中心にサブ制御装置ユニット６３が回動可能となっている。また、サブ制御装置ユニット６３には、支軸部６６の反対側となる開放端側に、ナイラッチ（登録商標）等よりなる締結部６７が設けられており、この締結部６７によってサブ制御装置ユニット６３が遊技盤１５（フレームカバー６１）の裏面に沿った状態で保持されるようになっている。
【００２７】
遊技盤１５の裏面であって可変表示ユニット３７の下方には、集合板ユニット６８が設けられている。集合板ユニット６８には、各種入賞口に入賞した遊技球やアウト口３８を通過した遊技球を回収するための遊技球回収機構や、各種入賞口等への遊技球の入賞を検知するための入賞検知機構などが設けられている。
【００２８】
入賞検知機構について簡単に説明すると、集合板ユニット６８には、遊技盤１５表側の一般入賞口３３と対応する位置に入賞口スイッチが設けられ、可変入賞装置３４と対応する位置にカウントスイッチが設けられている。カウントスイッチは、可変入賞装置３４に入賞した遊技球の数をカウントするスイッチである。また、作動口装置３５の上側作動口３５ａと対応する位置には当該上側作動口３５ａへの遊技球の入賞を検知する上側作動口スイッチが設けられ、下側作動口３５ｂと対応する位置には当該下側作動口３５ｂへの遊技球の入賞を検知する下側作動口スイッチが設けられている。さらに、スルーゲート３６と対応する位置にはスルーゲート３６の遊技球の通過を検知するゲートスイッチが設けられている。入賞口スイッチ、ゲートスイッチ及びカウントスイッチは、図示しない中継基板を介して後述する主制御装置７１に接続されており、上側作動口スイッチと下側作動口スイッチは、中継基板を介することなく直接主制御装置７１に接続されている。
【００２９】
上記入賞検知機構にて各々検出された検出結果は主制御装置７１に取り込まれ、該主制御装置７１よりその都度の入賞状況に応じた払出指令（遊技球の払出個数）が払出制御装置９４に送信される。そして、払出制御装置９４の出力により所定数の遊技球の払出が実行されるようになっている。
【００３０】
集合板ユニット６８の裏面には、主制御装置ユニット６９が取り付けられている。主制御装置ユニット６９は、主制御取付台７０を有し、該主制御取付台７０に主制御装置７１が搭載されている。主制御装置７１は、遊技に関わる主たる制御を行う。主制御装置ユニット６９は、何ら工具等を用いずに着脱できるよう構成されるとともに、一部に支軸部を設けて遊技盤１５の裏面に対して展開できる構成となっている。具体的に説明すると、主制御装置ユニット６９には遊技盤１５の背面から見て左端部に支軸部７２が設けられ、その支軸部７２による軸線を中心に主制御装置ユニット６９が回動可能となっている。また、主制御装置ユニット６９には、その右端部すなわち支軸部７２の反対側となる開放端側に、ナイラッチ等よりなる締結部７３が設けられており、この締結部７３によって主制御装置ユニット６９が遊技盤１５（集合板ユニット６８）の裏面に沿った状態に保持されるようになっている。
【００３１】
本体枠１２には、上述した遊技盤１５が裏面側より設置され、本体枠１２に設けられた複数の係止固定具によって後方へ脱落しないように固定されている。また、例えば図４等に示すように、本体枠１２の開放端側には、施錠装置７５が設けられている。施錠装置７５は、上下方向に延び本体枠１２に固定された基枠７６と、その基枠７６に対して上下方向に移動可能に組み付けられた長尺状の連動杆７７とを備え、基枠７６の下部にシリンダ錠７８が一体化されている。当該施錠装置７５は、シリンダ錠７８だけが本体枠１２の前方に突出するとともにパチンコ機１０前面に露出するように、本体枠１２に設けられている。シリンダ錠７８は、本体枠１２の施解錠と前扉枠１３の施解錠とを共に賄う機能を有しており、鍵穴に差し込んだキーを一方に回すと外枠１１に対する本体枠１２の施錠が解除され、キーを他方に回すと本体枠１２に対する前扉枠１３の施錠が解除されるようになっている。本体枠１２には、施錠装置７５側の下部に、遊技球発射装置３０が設けられている。
【００３２】
本体枠１２の背面側には、当該本体枠１２を覆うようにして裏セット機構８１が取り付けられている。裏セット機構８１は、何ら工具等を用いずに着脱できるよう構成されるとともに、一部に支軸部を設けて本体枠１２の裏面に対して展開できる構成となっている。具体的に説明すると、裏セット機構８１には本体枠１２の背面から見て右端部に支軸部８２が設けられ、その支軸部８２による軸線を中心に裏セット機構８１が回動可能となっている。また、裏セット機構８１には、支軸部８２の反対側となる開放端側に、ナイラッチ等よりなる締結部８３が設けられるとともに、本体枠１２には、上端部及び下端部にそれぞれ回動式の係止部が設けられており、これら締結部８３及び係止部によって裏セット機構８１が本体枠１２の裏面に沿った状態に保持されるようになっている。
【００３３】
裏セット機構８１には、遊技盤１６の背面側を覆うようにして、より具体的には、サブ制御装置ユニット６３と主制御装置ユニット６９の一部とを覆うようにして、透明樹脂材料にて成形された防護カバー８４が設けられている。
【００３４】
また、裏セット機構８１には、防護カバー８４を迂回するようにして払出機構部８５が配設されている。すなわち、裏セット機構８１の最上部には上方に開口した貯留タンク８６が設けられており、貯留タンク８６には遊技ホールの島設備から供給される遊技球が逐次補給される。貯留タンク８６の下方には、例えば横方向２列（２条）の球通路を有し下流側に向けて緩やかに傾斜するタンクレール８７が連結され、タンクレール８７の下流側には、上下方向に延びるケースレール８８が連結されている。ケースレール８８の下流側には、払出装置８９が設けられている。払出装置８９は、遊技球を下流側に払い出すための払出モータ、払出モータの回転を検出する払出回転センサ、払い出される遊技球数をカウントする払出カウントスイッチ等を有する。当該払出装置８９は、払出制御装置９４からの払出指令により払出モータを駆動し、必要個数の遊技球の払出を適宜行う。払出装置８９より払い出された遊技球は、図示しない払出通路等を通じて上皿１７又は下皿２６に供給される。払出装置８９の下方には、裏セット中継基板９０が設けられている。裏セット中継基板９０は、払出制御装置９４から払出装置８９への払出指令信号を中継する機能と、外部より例えば交流２４ボルトの主電源を取り込む機能とを有する。裏セット中継基板９０には電源スイッチ９１が設けられており、当該電源スイッチ９１を切替操作することで電源ＯＮと電源ＯＦＦとを切り替えることができる。
【００３５】
裏セット機構８１には、防護カバー８４の下方に電源・発射制御装置９２が設けられている。電源・発射制御装置９２は、裏セット機構８１が本体枠１２の裏面に沿った状態で保持された場合に、主制御装置７１の下方に位置するように設けられている。電源・発射制御装置９２は、各種制御装置等で要する所定の電源を生成して出力するとともに、遊技球発射操作部２９が操作された場合に遊技球の打ち出しの制御を行う。また、電源・発射制御装置９２には、ＲＡＭ消去スイッチ９３が設けられている。本パチンコ機１０は各種データの記憶保持機能を有しており、万一停電が発生した際でも停電時の状態を保持し、停電からの復帰（復電）の際には停電時の状態に復帰できるようになっている。しかしながら、ＲＡＭ消去スイッチ９３を押しながら電源を投入した場合には、ＲＡＭデータが初期化されるようになっている。電源・発射制御装置９２の背面側には、当該電源・発射制御装置９２と前後に重なるようにして払出制御装置９４が設けられている。払出制御装置９４は、賞球や貸出球を払い出す制御を行う。払出制御装置９４の右方には、外部中継ユニット１５０が設けられている。
【００３６】
ここで、外部中継ユニット１５０の構成を図７及び図８を用いて説明する。図８（ａ）は、外部中継ユニット１５０を開いた状態を示す拡大斜視図、図８（ｂ）は、外部中継ユニット１５０の拡大断面図である。なお以下では、パチンコ機１０の背面（図７参照）を基準として、上下左右等の方向を特定することとする。
【００３７】
外部中継ユニット１５０は、ＣＲユニット及び払出制御装置９４が接続される外部中継端子板１５１と、当該外部中継端子板１５１の前面側を覆うカバー部材１６１と、より構成されている。
【００３８】
外部中継端子板１５１は縦長矩形状のプリント基板であって、その表面には、図７及び図８（ｂ）に示すように、ＣＲユニットと接続されたケーブルコネクタ（図示略）が接続される第１ソケット１５２と、払出制御装置９４と接続されたケーブルコネクタ（図示略）が接続される第２ソケット１５３と、貸球操作部２０と接続されたケーブルコネクタ（図示略）が接続される第３ソケット１５４と、の他に、コンデンサ１５５等が搭載されている。第１ソケット１５２〜第３ソケット１５４及びコンデンサ１５５等の搭載部品は、外部中継端子板１５１の裏面側において半田付けされることにより、外部中継端子板１５１と機械的及び電気的に接続されている。より詳しくは、外部中継端子板１５１には、第１ソケット１５２〜第３ソケット１５４及びコンデンサ１５５等の搭載部品の端子部材を挿通するための挿通孔が形成されており、前記搭載部品は、挿通孔に端子部材が挿通されるとともに、外部中継端子板１５１の裏面側における端子部材の基端部を含む少なくとも一部が半田付けされることにより、外部中継端子板１５１と機械的及び電気的に接続されている。また、図８に示すように、外部中継端子板１５１には、その左端部に、第１ソケット１５２に沿って長辺方向に延びるとともに前後に貫通する貫通孔１５６が形成されている。以下では、第１ソケット１５２と外部中継端子板１５１を接続する各半田部材及び第１ソケット１５２の各端子部材を第１固定部１５７と総称し、第２ソケット１５３と外部中継端子板１５１を接続する各半田部材及び第２ソケット１５３の各端子部材を第２固定部１５８と総称し、第３ソケット１５４と外部中継端子板１５１を接続する各半田部材及び第３ソケット１５４の各端子部材を第３固定部１５９と総称し、コンデンサ１５５と外部中継端子板１５１を接続する各半田部材及びコンデンサの各端子部材を第４固定部１６０と総称する。
【００３９】
カバー部材１６１は、透明な合成樹脂材料によって形成されており、外部中継端子板１５１のコンデンサ１５５等を収容するための収容部１６２を有している。収容部１６２は、電源・発射制御装置９２側に開放された縦長矩形の箱状に形成されており、収容部１６２の第１ソケット１５２〜第３ソケット１５４と対応する位置には、これらソケット１５２，１５３，１５４を挿通するための挿通孔が形成されている（図示略）。カバー部材１６１には、その右端部に、上下一対の支軸部１６３が形成されており、その左端上部及び左端下部に、係止爪部１６４が形成されている。加えて、カバー部材１６１の上面部中央及び下面部中央には、外部中継端子板１５１を係止固定するための第２係止爪部１６５が形成されている。
【００４０】
ここで、外部中継ユニット１５０の組立作業について説明する。
【００４１】
先ず、第２係止爪部１６５に外力を加え、当該第２係止爪部１６５を収容部１６２外方に撓ませる。そして、かかる状態で外部中継端子板１５１の各ソケット１５２，１５３，１５４をカバー部材１６１の挿通孔へ挿通する。その後、第２係止爪部１６５に加えている外力を解除する。これにより、外部中継端子板１５１は、収容部１６２の上面部及び下面部によって上下方向への移動が規制され、収容部１６２の左面部及び右面部によって左右方向への移動が規制され、収容部１６２の前面部及び第２係止爪部１６５によって前後方向への移動が規制され、カバー部材１６１に固定される。そして、外部中継端子板１５１は、カバー部材１６１に装着された場合、外部中継端子板１５１の後端（すなわち各固定部１５７〜１６０の先端）が収容部１６２の後端（すなわち開放側先端）より前方に位置した状態でカバー部材１６１に固定されるようになっている。
【００４２】
電源・発射制御装置９２の前面右端部には、上下一対の軸受部１７１が形成されている。外部中継ユニット１５０は、カバー部材１６１の支軸部１６３が軸受部１７１に挿入されることにより、電源・発射制御装置９２に対して回動可能に支持されている。また、電源・発射制御装置９２には、カバー部材１６１の係止爪部１６４と対応する位置に係止孔１７２が形成されている。外部中継ユニット１５０は、カバー部材１６１の係止爪部１６４が係止孔１７２に挿通されることにより、電源・発射制御装置９２に沿った状態で、すなわちカバー部材１６１の後面と電源・発射制御装置９２の前面壁部１９２とが当接した状態で保持されるようになっている。
【００４３】
また、電源・発射制御装置９２の前面壁部１９２には、外部中継ユニット１５０と対応する位置に、電源・発射制御装置９２からほぼ垂直に外部中継端子板１５１側へと延びる複数のリブ１７３が一体形成されている。そして、これらリブ１７３により、第１固定部１５７を囲う矩形枠状の第１囲い部１７４と、第２固定部１５８を囲う矩形枠状の第２囲い部１７５と、第３固定部１５９を囲う矩形枠状の第３囲い部１７６と、第４固定部１６０を囲う矩形枠状の第４囲い部１７７と、が形成されている。
【００４４】
上述したとおり、外部中継端子板１５１は、外部中継端子板１５１の後端（すなわち各固定部１５７〜１６０の先端）が収容部１６２の開放側端部より前方に位置した状態でカバー部材１６１に固定されるようになっている。このため、外部中継ユニット１５０が電源・発射制御装置９２に保持されている状態では、カバー部材１６１内部において、電源・発射制御装置９２の前面壁部１９２と、外部中継端子板１５１の裏面と、の間に所定の隙間領域が形成されることとなる。しかしながら、第１囲い部１７４〜第４囲い部１７７を備えた構成においては、隙間領域をこれら囲い部１７４，１７５，１７６，１７７によって区画することができる。これにより、隙間領域に不正基板等を設置する不正を防止することが可能となる。また、カバー部材１６１は透明な合成樹脂材料で形成されており、外部中継端子板１５１には貫通孔１５６が形成されている。このため、外部中継ユニット１５０を電源・発射制御装置９２から開放せずとも、貫通孔１５６を通じて第１ソケット１５２背面に形成される隙間領域（すなわち第１囲い部１７４）に不正基板等が設置されていないかを確認することができる。なお、リブ１７３は、外部中継ユニット１５０が閉鎖状態で電源・発射制御装置９２に保持されている場合、外部中継端子板１５１と当接する前後寸法とされている。このため、外部中継ユニット１５０と電源・発射制御装置９２の当接面から第１囲い部１７４等に異物が挿入されることを防止できる。
【００４５】
次に、本パチンコ機１０の電気的構成について、図９のブロック図に基づいて説明する。図９では、電力の供給ラインを二重線矢印で示し、信号ラインを実線矢印で示す。
【００４６】
主制御装置７１に設けられた主制御基板７１ａには、演算装置である１チップマイコンとしてのＣＰＵ１０１が搭載されている。ＣＰＵ１０１には、該ＣＰＵ１０１により実行される各種の制御プログラムや固定値データを記憶したＲＯＭ１０２と、そのＲＯＭ１０２内に記憶される制御プログラムの実行に際して各種のデータ等を一時的に記憶するためのメモリであるＲＡＭ１０３と、割込回路やタイマ回路、データ送受信回路などの各種回路が内蔵されている。
【００４７】
ＲＡＭ１０３は、パチンコ機１０の電源の遮断後においても電源・発射制御装置９２に設けられた電源・発射制御基板９２ａからデータ記憶保持用電源（データ記憶保持用電圧）が供給されてデータが保持される構成となっている。詳細には、電源・発射制御基板９２ａには、データ記憶保持用コンデンサが設けられており、当該コンデンサからデータ記憶保持用電源が供給される。
【００４８】
主制御基板７１ａのＣＰＵ１０１には、アドレスバス及びデータバスで構成されるバスラインを介して入出力ポートが接続されている。主制御基板７１ａの入力側には、主制御装置７１に設けられた電源監視基板７１ｂ、払出制御装置９４に設けられた払出制御基板９４ａ及びその他図示しないスイッチ群などが接続されている。この場合に、電源監視基板７１ｂには電源・発射制御基板９２ａが接続されており、主制御基板７１ａには電源監視基板７１ｂを介して電源が供給される。
【００４９】
一方、主制御基板７１ａの出力側には、電源監視基板７１ｂ、払出制御基板９４ａ及び中継端子板９５が接続されている。払出制御基板９４ａには、賞球コマンドなどといった各種コマンドが出力される。かかる場合に、当該各種コマンドは、ハーネスを介して一方向通信によって出力される（すなわち、コマンドを入力した旨の情報が払出制御基板９４ａから主制御基板７１ａに対して出力されない）。また、中継端子板９５を介して主制御基板７１ａからサブ制御装置６５に設けられたサブ制御基板６５ａに対して各種コマンドなどが出力される。加えて、主制御基板７１ａの出力側には、各特定ランプ部４３ａ，４３ｂに配設されたＬＥＤのスイッチや役物ランプ部４４に配設されたＬＥＤのスイッチも接続されている。つまり、各特定ランプ部４３ａ，４３ｂと役物ランプ部４４は、主制御基板７１ａにより直接的に制御されている。なお、図示は省略したが、主制御基板７１ａの出力側には、可変表示ユニット３７の役物保留ランプ４５，第１保留ランプ４６ａ及び第２保留ランプ４６ｂのそれぞれに配設されたランプスイッチも接続されている。
【００５０】
電源監視基板７１ｂは、主制御基板７１ａと電源・発射制御基板９２ａとを中継し、また電源・発射制御基板９２ａから出力される最大電源である直流安定２４ボルトの電源を監視する。
【００５１】
払出制御基板９４ａは、払出装置８９を駆動させて賞球や貸し球の払出制御を行うものである。演算装置であるＣＰＵ１１１は、そのＣＰＵ１１１により実行される制御プログラムや固定値データ等を記憶したＲＯＭ１１２と、ワークメモリ等として使用されるＲＡＭ１１３とを備えている。
【００５２】
払出制御基板９４ａのＲＡＭ１１３は、主制御基板７１ａのＲＡＭ１０３と同様に、パチンコ機１０の電源の遮断後においても電源・発射制御基板９２ａからデータ記憶保持用電源が供給されてデータを保持できる構成となっている。また、ＲＡＭ１１３における各種のカウンタ等が記憶される作業エリアには、コマンド入力フラグ格納エリアなどといった各種フラグ格納エリアと共に、主制御基板７１ａから出力されたコマンドが記憶されるコマンドバッファ１１３ａが設けられている。
【００５３】
コマンドバッファ１１３ａは、主制御基板７１ａから出力されるコマンドを一時的に記憶するリングバッファで構成されている。リングバッファは所定の記憶領域を有しており、その記憶領域の始端から終端に至るまで規則性をもってコマンドが記憶され、全ての記憶領域にコマンドが記憶された場合には、記憶領域の始端に戻りコマンドが更新されるよう構成されている。よって、コマンドが記憶された場合及びコマンドが読み出された場合に、コマンドバッファ１１３ａにおける記憶ポインタ及び読出ポインタが更新され、その各ポインタに基づきコマンドの記憶と読み出しとが行われる。
【００５４】
払出制御基板９４ａのＣＰＵ１１１には、アドレスバス及びデータバスで構成されるバスラインを介して入出力ポートが接続されている。払出制御基板９４ａの入力側には、主制御基板７１ａ、電源・発射制御基板９２ａ、裏セット中継基板９０及び外部中継端子板１５１が接続されている。また、払出制御基板９４ａの出力側には、主制御基板７１ａ、裏セット中継基板９０及び外部中継端子板１５１が接続されている。この場合に、裏セット中継基板９０を介して払出装置８９などを含む払出機構部８５が接続されている。
【００５５】
電源・発射制御基板９２ａは、演算装置であるＣＰＵ１２１と、そのＣＰＵ１２１により実行される制御プログラムや固定値データ等を記憶したＲＯＭ１２２と、ワークメモリ等として使用されるＲＡＭ１２３とを備えており、電源部としての機能と、発射制御部としての機能とを備えている。
【００５６】
電源部は、二重線矢印で示す経路を通じて、主制御基板７１ａや払出制御基板９４ａ等に対して各々に必要な動作電源を供給する。その概要としては、電源部は、裏セット中継基板９０を介して供給される交流２４ボルト電源を取り込み、各種スイッチやモータ等を駆動するための＋１２Ｖ電源、ロジック用の＋５Ｖ電源、ＲＡＭのデータ記憶保持用電源などを生成し、これら＋１２Ｖ電源、＋５Ｖ電源及びデータ記憶保持用電源を主制御基板７１ａや払出制御基板９４ａ等に対して供給する。なお、データ記憶保持用電源を生成するとは、データ記憶保持用コンデンサの充電を行うことをいう。
【００５７】
また、電源部には、ＲＡＭ消去スイッチ回路が設けられている。電源部は、ＲＡＭ消去スイッチ９３のスイッチ信号を読み込み、当該スイッチ９３の読み込み状態に応じて、主制御基板７１ａのＲＡＭ１０３に記憶されたデータをクリアするためのＲＡＭ消去信号を出力する。すなわち、ＲＡＭ消去スイッチ９３が押された場合、ＲＡＭ消去スイッチ回路は主制御基板７１ａに対してＲＡＭ消去信号を出力する。これにより、ＲＡＭ消去スイッチ９３が押された状態でパチンコ機１０の電源が投入されると、主制御基板７１ａにおいてＲＡＭ１０３のデータがクリアされる。また、この際、主制御基板７１ａから払出制御基板９４ａに対して払出初期化コマンドが出力され、払出制御基板９４ａにおいてもＲＡＭ１１３のデータがクリアされる。
【００５８】
発射制御部は、遊技者による遊技球発射ハンドル２９の操作に伴って遊技球発射装置３０の発射制御を担うものである。遊技球発射装置３０に設けられ、遊技球を遊技領域に向けて発射させる発射ソレノイドは、所定の発射条件が成立している場合に駆動される。発射制御の概略を説明すると、発射制御部には、遊技球発射ハンドル２９、より詳しくは遊技球発射ハンドル２９に設けられた発射スイッチ、タッチセンサ及び止め打ちスイッチが接続されている。発射制御部は、発射スイッチとタッチセンサが共にオン、止め打ちスイッチがオフの状態となった場合に限り、発射許可信号を主制御基板７１ａ（電源監視基板７１ｂを介して）に出力する。主制御基板７１ａは、当該発射許可信号の入力に基づいて所定周期（本実施の形態では０．６秒）の発射制御信号を発射制御部（電源監視基板７１ｂを介して）に出力する。これにより、発射制御部は、発射制御信号の入力周期に従って発射ソレノイドを駆動する。この場合に、遊技球発射ハンドル２９にはハンドル操作量を判定するためのダイヤル可変抵抗器が設けられており、発射制御部はダイヤル可変抵抗器における抵抗値の変化に基づいて発射ソレノイドによる打ち出し速度を決定する。
【００５９】
サブ制御基板６５ａは、表示制御装置６２やスピーカ５５、電飾部６５の制御を行うものである。サブ制御基板６５ａは、ＣＰＵ、ＲＯＭ及びＲＡＭ等を備えており、ＣＰＵにはアドレスバス及びデータバスで構成されるバスラインを介して入出力ポートが接続されている。サブ制御基板６５ａの入力側には、中継端子板９５を介して主制御基板７１ａが接続されるとともに、選択スイッチ２４が接続されている。サブ制御基板６５ａは、主制御基板７１ａから出力される各種コマンドや遊技者による選択スイッチ２４の操作に基づいて、表示制御装置６２に対して各種コマンドを出力するとともに、スピーカ５５、電飾部６５の駆動制御を行う。表示制御装置６２は、サブ制御基板６５ａから出力される各種コマンドに基づいて、図柄表示装置４１における図柄の変動表示や各保留個数の表示等を制御する。なお、サブ制御基板６５ａが表示制御装置６２を介することなく図柄表示装置４１を直接制御する構成としても良いし、主制御基板７１ａからの各種コマンドが表示制御装置６２に直接入力される構成としても良い。或いは、サブ制御装置６５及び表示制御装置６２に代えて、前記サブ制御装置の機能と前記表示制御装置の機能とを有する制御装置を設ける構成としても良い。
【００６０】
ここで、電源監視基板７１ｂは、上述したように、電源・発射制御基板９２ａから出力される最大電源である直流安定２４ボルトの電源を監視する。より詳しくは、電源監視基板７１ｂは、電源が２２ボルト未満になると停電（電源遮断）の発生と判断し、主制御基板７１ａのＣＰＵ１０１に設けられたＮＭＩ端子（ノンマスカブル割込端子）に停電信号ＳＧ１を出力する。停電信号ＳＧ１が入力された場合、主制御基板７１ａは、停電の発生を認識してＮＭＩ割込み処理を即座に実行し、さらにこれに基づいて後述する停電時処理を実行する。なお、ＮＭＩ端子とは、割込禁止設定をできない割込端子のことをいう。
【００６１】
また、主制御基板７１ａは、停電時処理において、払出制御基板９４ａのＣＰＵ１１１に設けられたＮＭＩ端子（ノンマスカブル割込端子）へ停電信号ＳＧ２を出力する。停電信号ＳＧ２が入力された場合、払出制御基板９４ａは、停電の発生を認識してＮＭＩ割込み処理を即座に実行し、さらにこれに基づいて停電時処理を実行する。すなわち、本パチンコ機１０の場合、払出制御基板９４ａは、電源監視基板７１ｂから停電信号が直接入力されるのではなく、主制御基板７１ａを介して停電信号が入力される。さらにいうと、停電信号ＳＧ２は払出制御基板９４ａのＮＭＩ端子に入力される構成であるため、停電信号ＳＧ２を伝送するための信号線は、賞球コマンドなどといったコマンド信号を伝送するための信号線とは別個に設けられている。
【００６２】
なお、電源・発射制御基板９２ａは、直流安定２４ボルトの電源が２２ボルト未満になった後においても、停電時処理の実行に充分な時間の間、制御系の駆動電源である５ボルトの出力を正常値に維持するように構成されている。詳細には、電源及び発射制御基板９２ａには、上述したデータ記憶保持用コンデンサとは異なる停電時処理用コンデンサが設けられており、当該コンデンサからの放電により５ボルト電源が維持されるようになっている。このため、主制御基板７１ａと払出制御基板９４ａは、停電時処理を正常に実行し完了することができる。
【００６３】
以上詳述した本実施の形態によれば、以下の優れた効果を奏する。
【００６４】
外部中継端子板１５１をカバー部材１６１に収容して外部中継ユニット１５０とした。そして、外部中継端子板１５１を、カバー部材１６１に装着された場合、外部中継端子板１５１の後端が収容部１６２の後端より前方に位置した状態でカバー部材１６１に固定される構成とした。かかる構成とすることにより、外部中継端子板１５１の表面をカバー部材１６１により保護するとともに、電源・発射制御装置９２の前面壁部１９２と外部中継端子板１５１の裏面との間に隙間領域を形成することで各半田部材及び各端子部材が前面壁部１９２等に接触して損傷する機会を低減させることが可能となる。故に、外部中継端子板１５１の損傷を抑制することが可能となる。
【００６５】
一方、かかる構成においては、外部中継ユニット１５０が電源・発射制御装置９２に保持されている場合、カバー部材１６１内部において、電源・発射制御装置９２の前面壁部１９２と、外部中継端子板１５１の裏面と、の間に所定の隙間領域が形成されることとなる。外部中継端子板１５１には、ＣＲユニット及び払出制御装置９４が接続される。このため、例えばＣＲユニットと接続される第１ソケット１５２を固定する各半田部材及び各端子部材に不正基板を接触させ、玉貸しボタン２１が操作されたと誤認識させる不正信号が前記半田部材及び端子部材から入力されるとともに、遊技球を貸し出したことを示すＣＲユニットへの出力信号が遮断された場合、カード等の残額が減額されることなく貸出球が払い出されることとなる。これは、パチンコ機１０を設置する遊技場等に多大な不利益を被らせることとなる。そこで、前面壁部１９２には、電源・発射制御装置９２からほぼ垂直に外部中継端子板１５１側へと延びる複数のリブ１７３を形成し、これらリブ１７３によって各固定部１５７〜１６０を囲う囲い部１７４〜１７７を形成した。かかる構成とすることにより、外部中継端子板１５１の裏面に形成される隙間領域をこれら囲い部１７４〜１７７によって区画することができ、隙間領域に不正基板等を設置する不正を防止することが可能となる。
【００６６】
囲い部１７４〜１７７を形成するリブ１７３を電源・発射制御装置９２の前面壁部１９２に設けた。かかる構成とすることにより、カバー部材１６１と前面壁部１９２の境界部から不正基板や針金等の不正な異物を隙間領域に向けて挿入された場合であっても、囲い部１７４〜１７７より詳しくはリブ１７３の基端部によって不正な異物の侵入を遮ることが可能となる。故に、上記不正行為を抑制することが可能となる。
【００６７】
リブ１７３を、外部中継ユニット１５０が閉鎖状態で電源・発射制御装置９２に保持されている場合、外部中継端子板１５１と当接する前後寸法とした。かかる構成とすることにより、仮にカバー部材１６１と前面壁部１９２の境界部から不正基板や針金等の不正な異物を隙間領域に向けて挿入された場合であっても、囲い部１７４〜１７７内部に不正な異物が挿入されることを防止することが可能となる。故に、上記不正行為を抑制することが可能となる。
【００６８】
カバー部材１６１を透明な合成樹脂材料によって形成した。かかる構成とすることにより、外部中継端子板１５１の表面をカバー部材１６１により覆う構成とした場合であっても、外部中継端子板１５１をカバー部材１６１から取り外すことなく、外部中継端子板１５１の表面に異常等が発生していないかを確認することが可能となる。また、外部中継端子板１５１に貫通孔１５６を形成したため、外部中継ユニット１５０を電源・発射制御装置９２から開放せずとも、貫通孔１５６を通じて第１ソケット１５２背面に形成される隙間領域（すなわち第１囲い部１７４）に不正基板等が設置されていないかを確認することができる。
【００６９】
（第２の実施の形態）
上記第１の実施の形態では、電源・発射制御装置９２の前面壁部１９２に複数のリブ１７３を一体形成することで隙間領域を区画し、各囲い部１７４〜１７７によって各固定部１５７〜１６０を外部中継端子板１５１のプリント基板面より小さく囲う構成としたが、かかる構成を変更する。図１０（ａ）は、外部中継ユニット２５０を開いた状態を示す拡大斜視図、図１０（ｂ）は、外部中継ユニット２５０の拡大断面図、図１１は、外部中継端子板２５１の分解斜視図である。なお、上述の第１の実施の形態と同様の構成要素については、同一の符号を付す又は符号を付さないことでその詳細な説明を省略する。
【００７０】
外部中継ユニット２５０は、ＣＲユニット及び払出制御装置９４が接続される外部中継端子板２５１と、当該外部中継端子板３５１の前面側を覆うカバー部材１６１と、より構成されている。
【００７１】
外部中継端子板２５１は縦長矩形状のプリント基板であって、その表面には、図１１に示すように、ＣＲユニットと接続されたケーブルコネクタ（図示略）が接続される第１ソケット１５２と、払出制御装置９４と接続されたケーブルコネクタ（図示略）が接続される第２ソケット１５３と、貸球操作部２０と接続されたケーブルコネクタ（図示略）が接続される第３ソケット１５４と、の他に、コンデンサ１５５等が搭載されている。第１ソケット１５２〜第３ソケット１５４及びコンデンサ１５５等の搭載部品は、外部中継端子板２５１の裏面側において半田付けされることにより、外部中継端子板２５１と機械的及び電気的に接続されている。また、図１１に示すように、外部中継端子板２５１には、その左端部に、第１ソケット１５２に沿って長辺方向に延びる貫通孔１５６が形成されており、貫通孔１５６の下方に、ネジ等の締結具２５３を挿通するための挿通孔２５２が形成されている。
【００７２】
外部中継端子板２５１の裏面には、第１ソケット１５２を外部中継端子板２５１に固定する半田部材及び端子部材２５４を囲う囲い部材２５５が取り付けられている。囲い部材２５５は、縦長平板状の台座部２５６を有している。台座部２５６には、半田部材及び端子部材２５４と対応する位置に、前後に貫通する矩形状の貫通孔部２５７が形成されており、貫通孔１５６と対応する位置に、外部中継端子板２５１側に突出する突条２５８が形成されている。また、台座部２５６には、その上部左端に、外部中継端子板２５１側に延びる略Ｌ字状の係止爪部２５９が形成されており、挿通孔２５２と対応する位置に、締結具２５３を固定するための締結孔２６０が設けられている。台座部２５６の裏面には、図１０（ａ）に示すように、貫通孔部２５７周縁から電源・発射制御装置９２側にほぼ垂直に延びる囲い部２６１が一体形成されている。
【００７３】
囲い部材２５５を外部中継端子板２５１に装着する場合には、係止爪部２５９に外力を加え、当該係止爪部２５９を外方に撓ませる。そして、かかる状態で囲い部材２５５の突条２５８を外部中継端子板２５１の挿通孔２５２へ挿通し、係止爪部２５９に加えている外力を解除する。その後、締結具２５３を、外部中継端子板２５１の表面側から当該外部中継端子板２５１の挿通孔２５２に挿通させるとともに囲い部材２５５の締結孔２６０に螺入させる。これにより、囲い部材２５５が外部中継端子板２５１に固定される。
【００７４】
電源・発射制御装置９２の前面壁部１９２には、電源・発射制御装置９２からほぼ垂直に外部中継端子板２５１側へと延びる複数のリブ２７３が一体形成されている。リブ２７３は、外部中継端子板２５１の周縁部に沿うように全体として矩形枠状に形成されるとともに、外部中継ユニット２５０の第２係止爪部１６５と対応する位置及び外部中継端子板２５１の締結孔２６０と対応する位置が切り欠かれた形状となっている。また、リブ２７３は、外部中継ユニット２５０が閉鎖状態で電源・発射制御装置９２に保持されている場合、外部中継端子板２５１と当接する前後寸法とされている。電源・発射制御装置９２の前面壁部１９２には、囲い部２６１と対応する位置に、前後に開口する開口孔部２７４が形成されている。
【００７５】
外部中継ユニット２５０が電源・発射制御装置９２に保持されている場合、図１０（ｂ）に示すように、リブ２７３の先端面が外部中継端子板２５１の裏面と当接する。そして、外部中継端子板２５１に設けられた囲い部２６１の先端部は、電源・発射制御装置９２の開口孔部２７４内に収容される。
【００７６】
囲い部２６１を外部中継端子板２５１側に設けることにより、第１ソケット１５２を固定する半田部材及び端子部材２５４の基端から先端までを囲い部２６１によって囲うことが可能となり、半田部材及び端子部材２５４に不正基板を接触させることを困難なものとすることが可能となる。
【００７７】
ここで、外部中継端子板２５１において、第１ソケット１５２は、パチンコ機１０外部（すなわちＣＲユニット）から遊技者の利益に関わる遊技価値を示す信号（すなわちカード等の残額を示す信号）が入力される端子部材を唯一有しており、他のソケットは、前記遊技価値を示す信号が入力される端子部材を有していない。同様に、第１ソケット１５２は、パチンコ機が遊技者に利益を付与したことを示す利益行為信号（すなわち貸出球を払い出したことを示す信号）が出力される端子部材を有しており、他のソケットは、前記利益行為信号が出力される端子部材を有していない。つまり、遊技者の利益に関わる信号が入力される端子部材と、遊技者の利益に関わる信号が出力される端子部材と、を共に有する第１ソケット１５２を囲い部２６１によって囲うことにより、好適に不正行為を抑制することが可能となる。
【００７８】
電源・発射制御装置９２の前面壁部１９２に開口孔部２７４を形成し、外部中継ユニット２５０が電源・発射制御装置９２に保持されている場合、外部中継端子板２５１に設けられた囲い部２６１の先端部が電源・発射制御装置９２の開口孔部２７４内に収容される構成とした。かかる構成とすることにより、仮にカバー部材１６１と前面壁部１９２の境界部から不正基板や針金等の不正な異物を隙間領域に向けて挿入された場合であっても、囲い部２６１内部に不正な異物が挿入されることを防止することが可能となる。故に、半田部材及び端子部材２５４に不正基板を接触させて行う不正を抑止することが可能となる。
【００７９】
外部中継端子板１５１と囲い部材２５５を固定する締結具２５３を、外部中継端子板２５１の表面側から当該外部中継端子板２５１の挿通孔２５２に挿通させるとともに囲い部材２５５の締結孔２６０に螺入させる構成とした。かかる構成とすることにより、外部中継端子板２５１がカバー部材１６１に収容されている場合に、囲い部材２５５が外部中継端子板２５１から取り外されることを回避することが可能となる。カバー部材１６１から外部中継端子板２５１を取り外さない限りは、締結具２５３を囲い部材２５５及び外部中継端子板２５１から取り外せないからである。故に、不正に囲い部材２５５が外部中継端子板２５１から取り外されることを抑制することが可能となる。
【００８０】
（第３の実施の形態）
上記第１の実施の形態では、電源・発射制御装置９２の前面壁部１９２に複数のリブ１７３を一体形成することで隙間領域を区画し、上記第２の実施の形態では、外部中継端子板２５１に囲い部材２５５を取り付けることで隙間領域を区画する構成としたが、かかる構成を変更する。図１２（ａ）は、外部中継ユニット３５０を開いた状態を示す拡大斜視図、図１２（ｂ）は、外部中継ユニット２５０の拡大断面図である。なお、上述の第１の実施の形態と同様の構成要素については、同一の符号を付す又は符号を付さないことでその詳細な説明を省略する。
【００８１】
外部中継ユニット３５０は、ＣＲユニット及び払出制御装置９４が接続される外部中継端子板３５１と、当該外部中継端子板３５１の前面側を覆うカバー部材１６１と、より構成されている。
【００８２】
外部中継端子板３５１の構成は、上記第１の実施の形態における外部中継端子板１５１の構成とほぼ同様であり、その中央左部に第１ソケット１５２を左右方向において貫通孔１５６と挟むように円柱状の第２貫通孔３５２が形成されている点が異なっている。
【００８３】
電源・発射制御装置９２の前面壁部１９２には、外部中継ユニット３５０と対応する位置に、外部中継端子板３５１側に膨出する膨出部３７０が一体形成されている。膨出部３７０は、前面壁部１９２からほぼ垂直に外部中継端子板３５１側に延びる矩形状の脚部３７０ａと、当該脚部３７０ａの先端で外部中継端子板３５１の裏面と対向する対向部３７０ｂと、を有し、全体として電源・発射制御装置９２側に開放する箱状に形成されている。脚部３７０ａは、外部中継ユニット３５０が閉鎖状態で電源・発射制御装置９２に保持されている場合、対向部３７０ｂが外部中継端子板３５１と当接する前後寸法とされている。対向部３７０ｂは、外部中継端子板３５１とほぼ同一の上下寸法及び左右寸法とされるとともに、第２係止爪部１６５と対応する位置に逃げ部３７１が形成されている。対向部３７０ｂには、前後に開口する開口孔部３７２〜３７７が複数形成されている。すなわち、第１ソケット１５２を固定する各半田部材及び各端子部材と対応する位置には、第１開口孔部３７２が形成されており、第２ソケット１５３を固定する各半田部材及び各端子部材と対応する位置には、第２開口孔部３７３が形成されており、第３ソケット１５４を固定する各半田部材及び各端子部材と対応する位置には、第３開口孔部３７４が形成されている。また、コンデンサ１５５等を固定する各半田部材及び各端子部材と対応する位置には、第４開口孔部３７５，第５開口孔部３７６及び第６開口孔部３７７が形成されている。加えて、対向部３７０ｂには、外部中継端子板３５１の貫通孔１５６及び第２貫通孔３５２と対応する位置に、突条３７８及び突起部３７９が形成されている。
【００８４】
外部中継ユニット３５０が電源・発射制御装置９２に保持されている場合、図１２（ｂ）に示すように、外部中継端子板３５１の裏面が膨出部３７０の対向部３７０ｂと当接するとともに、外部中継端子板３５１の貫通孔１５６に突条３７８が挿入され、外部中継端子板３５１の第２貫通孔３５２に突起部３７９が挿入された状態となる。そして、外部中継端子板３５１の各半田部材及び各端子部材は、対応する各開口孔部３７２〜３７７に収容される。
【００８５】
電源・発射制御装置９２の前面壁部１９２に、外部中継端子板３５１側に膨出する膨出部３７０を形成した。かかる構成とすることにより、電源・発射制御装置９２の前面壁部１９２と、外部中継端子板３５１の裏面と、の間に生じる隙間領域を膨出部３７０によって埋めることができる。この結果、不正基板を設置するための領域を確保することが困難なものとなり、不正行為を抑制することが可能となる。
【００８６】
膨出部３７０には、各半田部材及び各端子部材と対応する位置に開口孔部３７２〜３７７を形成したため、各半田部材及び各端子部材を開口孔部３７２〜３７７の内部に収容することができる。また、開口孔部３７２〜３７７を前後に開口する形状とすることにより、半田部材及び端子部材と膨出部３７０が接触することで当該半田部材及び端子部材が損傷することを回避することが可能となる。
【００８７】
（第４の実施の形態）
上記第３の実施の形態では、電源・発射制御装置９２の前面壁部１９２に膨出部３７０を形成することで隙間領域を埋める構成とするとともに、各半田部材及び各端子部材と対応する位置に開口孔部３７２〜３７７を形成する構成としたが、かかる構成を変更する。図１３（ａ）は、外部中継ユニット４５０を開いた状態を示す拡大斜視図、図１３（ｂ）は、外部中継ユニット４５０の拡大断面図である。なお、外部中継ユニット４５０の構成については、上記第１の実施の形態における外部中継ユニット１５０と同一であるため、説明を省略する。また、電源・発射制御装置９２の前面壁部１９２に形成された膨出部４７０の構成については、上述の第３の実施の形態における膨出部３７０とほぼ同様であるため、相違点のみを説明する。
【００８８】
本実施の形態における膨出部４７０には、対向部３７０ｂに突条３７８及び突起部３７９が形成されていない。また、前後に開口する開口孔部３７２〜３７７に代えて、外部中継端子板１５１の半田部材及び端子部材を個々に収容する収容凹部４７１が複数形成されている。
【００８９】
かかる構成においては、上記第３の実施の形態において記載した効果に加えて、膨出部４７０に前後に開口する開口孔部３７２〜２７７を有さないため、電源・発射制御装置９２内部に異物が挿入されることを防止することができる。また、収容凹部４７１の大きさが半田部材及び端子部材を個々に収容する大きさであるため、収容凹部４７１内の余剰スペースを利用して不正がなされることを抑制することが可能となる。
【００９０】
なお、上述した実施の形態の記載内容に限定されず、例えば次のように実施してもよい。
【００９１】
（１）上記第１の実施の形態では、電源・発射制御装置９２の前面壁部１９２に複数のリブ１７３を形成して隙間領域を区画する構成としたが、これに加えて、上記第２の実施の形態において示したように、外部中継端子板１５１側に半田部材及び端子部材を囲う囲い部材２５５を設けても良い。
【００９２】
（２）上記第１の実施の形態では、リブ１７３を、外部中継ユニット１５０が閉鎖状態で電源・発射制御装置９２に保持されている場合に外部中継端子板１５１と当接する前後寸法としたが、リブ１７３の先端が各固定部の半田部材先端（端子部材が半田部材より突出する構成においては端子部材先端）より外部中継端子板１５１側に位置する前後寸法であれば、上記第１の実施の形態と同様の作用効果を奏することが期待できる。
【００９３】
（３）上記第２の実施の形態では、電源・発射制御装置９２の前面壁部１９２に開口孔部２７４を設ける構成としたが、かかる構成に限定されるものではなく、囲い部２６１の先端部を前面壁部１９２側に収容可能な構成であれば良い。例えば、前面壁部１９２に囲い部２６１と対応する溝部を形成し、当該溝部に囲い部２６１の先端部が収容される構成としても良い。
【００９４】
（４）上記第２の実施の形態では、第１ソケット１５２を固定する半田部材及び端子部材２５４を囲う囲い部材２５５を設ける構成としたが、他のソケット１５３，１５４やコンデンサ１５５等を固定する半田部材及び端子部材を囲う囲い部材を設けても良いことは言うまでもない。さらにいうと、第１ソケット１５２を固定する半田部材及び端子部材２５４を囲う囲い部材２５５を設けるのではなく、遊技者の利益に関わる信号が入力される端子部材と、遊技者の利益に関わる信号が出力される端子部材と、の少なくとも一方を囲い部材によって囲う構成としても良い。
【００９５】
（５）上記第１及び第２の実施の形態では、囲い部１７４〜１７７，２６１を連続した矩形枠状を有する構成としたが、一部が断続した形状を有する構成としても良い。すなわち、上記第２の実施の形態におけるリブ２７３のように、全体として矩形枠状を有するとともに一部が切り欠かれた形状となっていても良い。また、矩形枠状に限らず、円形状に囲う構成としても良いし、囲う形状は任意である。さらにいうと、半田部材及び端子部材から所定の向きに、当該半田部材及び端子部材への接触又は隙間領域への侵入を規制する規制部材を有する構成においては、囲い部材が前記所定の向きに開放された形状を有する構成としても良い。
【００９６】
（６）上記第３及び第４の実施の形態では、膨出部３７０，４７０を電源・発射制御装置９２の前面壁部１９２に一体形成したが、膨出部を別体構成としても良い。かかる構成とした場合には、電源・発射制御装置９２内部を閉鎖空間とすることができ、第３の実施の形態において電源・発射制御装置９２内部に開口孔部から不正な異物等が挿入されることを防止することが可能となる。
【００９７】
（７）上記各実施の形態では、カバー部材１６１を透明な合成樹脂材料にて形成する構成としたが、無色透明な合成樹脂材料に限らず有色透明な合成樹脂材料にて形成しても良いことは言うまでもない。
【００９８】
（８）上記各実施の形態では、ＣＲユニット及び払出制御装置９４が接続される外部中継端子板１５１，２５１，３５１を例として説明したが、例えば主制御装置７１及びホール管理装置が接続される中継端子板に適用しても良い。すなわち、遊技に関わる制御を行う制御装置と、パチンコ機外部の外部装置と、を接続する中継基板に適用すれば、上記各実施の形態において記載した作用効果を奏することが期待できる。
【００９９】
（９）上記各実施の形態では、第１ソケット１５２〜第３ソケット１５４及びコンデンサ１５５等の搭載部品を、外部中継端子板の裏面側において半田付けされることによって外部中継端子板と機械的及び電気的に接続される構成としたが、半田部材に限らず導電性部材によって機械的及び電気的に接続される構成であれば良い。また、導電性部材及び端子部材を合成樹脂等の非導電性部材によって覆う構成としても良い。かかる構成とした場合には、導電性部材及び端子部材に不正基板を接触させて行う不正を防止することが可能となる。このとき、前記非導電性部材として透過性部材を用いれば、導電性部材及び端子部材が損傷していないか等を容易に確認することが可能となり、前記非導電性部材として非透過性部材を用いれば、導電性部材及び端子部材の位置等を特定することが困難なものとなり、不正行為を防止することが可能となる。
【０１００】
（１０）上記各実施の形態とは異なる他のタイプのパチンコ機等に適用しても良いことは言うまでもない。例えば、作動口を遊技球が通過したことを契機として第１抽選を行い、この第１抽選に当選すると特別装置が所定の開放状態となり、特別装置の特定領域に遊技球が入ると大当たり発生となるタイプのパチンコ機に適用しても良い。また、遊技者に払い出すべき賞球を仮想遊技媒体として貯留記憶する貯留記憶手段を備えたパチンコ機に適用しても良い。さらには、スロットマシン等の他の遊技機に適用しても良い。
【０１０１】
以下、本発明の遊技機を、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０１０２】
遊技機１．遊技に関わる制御を行う制御装置（電源・発射制御装置９２、払出制御装置９４）と、
前記制御装置と遊技機外部の外部装置（ＣＲユニット）を接続する中継基板（外部中継端子板１５１，２５１，３５１）と
を備えた遊技機において、
前記中継基板は、所定面（表面）に前記制御装置又は前記外部装置と電気的に接続される被接続部材（第１ソケット１５２、第２ソケット１５３、第３ソケット１５４）を有し、前記所定面と反対側の第２所定面（裏面）に前記被接続部材と前記中継基板を接続する導電性接続部（半田部材及び端子部材）を有するものであって、
前記所定面側を覆うとともに前記第２所定面側が開放された収容部材（カバー部材１６１）に前記中継基板を収容して中継ユニット（外部中継ユニット１５０，２５０，３５０，４５０）を構成し、
前記収容部材には、前記導電性接続部が前記収容部材の開放側先端より前記収容部材の内側に位置するよう、前記中継基板を保持する保持部（第２係止爪部１６５）を設け、
前記中継基板と、前記収容部材の開放側を覆うとともに前記中継ユニットが取り付けられる取付部（前面壁部１９２）と、の少なくとも一方には、前記導電性接続部を前記中継基板の基板面よりも小さく囲う囲い部（第１囲い部１７４、第２囲い部１７５、第３囲い部１７６、第４囲い部１７７、囲い部２６１、第１開口孔部３７２、第２開口孔部３７３、第３開口孔部３７４、第４開口孔部３７５、第５開口孔部３７６、第６開口孔部３７７、収容凹部４７１）を設けたことを特徴とする遊技機。
【０１０３】
本遊技機によれば、中継基板は所定面に被接続部材を有しており、当該所定面が収容部材により覆われている。かかる構成とすることにより、遊技機を設置する遊技場等において被接続部材と外部装置を接続する作業を行う際に、所定面や被接続部材が損傷される機会を低減させることが可能となる。また、収容部材には、中継基板の導電性接続部が収容部材の開放側先端より収容部材の内側に位置するよう、中継基板を保持する保持部が設けられている。かかる構成とすることにより、導電性接続部が取付部等に接触して損傷する機会を低減させることが可能となる。以上の結果、中継基板の損傷を抑制することが可能となる。
【０１０４】
しかしながら、中継基板の導電性接続部が収容部材の開放側先端より収容部材の内側に位置するよう保持部を設けた場合には、第２所定面と取付部との間に所定の隙間領域が形成され、当該隙間領域に不正基板等を設置される可能性が考えられる。そこで、本遊技機では、中継基板と取付部との少なくとも一方に、導電性接続部を中継基板の基板面よりも小さく囲う囲い部を設けた。かかる構成とすることにより、前記不正基板等を設置可能な領域を小さく制限するとともに、導電性接続部に向けて不正基板等が挿入されることを規制することが可能となり、不正基板等を設置する不正行為を抑制することが可能となる。
【０１０５】
なお、「囲い部」とは、導電性接続部を連続的に囲う形状を有するものに限らず、その一部が断続された形状を有するものも含む。
【０１０６】
遊技機２．上記遊技機１において、前記囲い部を前記取付部に設けるとともに、前記囲い部を前記取付部から前記中継基板に向けて延びる形状としたことを特徴とする遊技機。
【０１０７】
本遊技機によれば、取付部から中継基板に向けて延びる囲い部が取付部に設けられている。かかる構成においては、収容部材と取付部の境界部から不正な異物等を導電性接続部に向けて挿入された場合であっても、囲い部によって形成される領域への不正な異物等の侵入を囲い部の基端部によって遮ることが可能となる。故に、上記不正行為を抑制することが可能となる。
【０１０８】
遊技機３．上記遊技機２において、前記囲い部は、前記中継ユニットが前記取付部に取り付けられている場合、前記囲い部の先端が前記導電性接続部の先端より前記中継基板側に位置することを特徴とする遊技機。
【０１０９】
本遊技機によれば、中継ユニットが取付部に取り付けられている場合、囲い部の先端が導電性接続部の先端より中継基板側に位置している。かかる構成においては、囲い部によって形成される領域の外方から不正な異物等を導電性接続部に向けて挿入された場合に、囲い部自身によって又は囲い部と導電性接続部によって侵入を遮ることが可能となる。故に、上記不正行為を抑制することが可能となる。
【０１１０】
遊技機４．上記遊技機２又は遊技機３において、前記囲い部を前記中継基板に設けたことを特徴とする遊技機。
【０１１１】
本遊技機によれば、囲い部を中継基板にも設けることにより、囲い部によって形成される領域の外方から不正な異物等を導電性接続部に向けて挿入することをより困難なものとすることが可能となる。
【０１１２】
遊技機５．上記遊技機１において、前記囲い部を前記中継基板に設け、前記取付部には、前記囲い部の先端部を収容可能な収容部（開口孔部２７４）を設けたことを特徴とする遊技機。
【０１１３】
本遊技機によれば、囲い部は中継基板に設けられており、取付部には、囲い部の先端部を収容可能な収容部が設けられている。囲い部を中継基板に設けることにより、導電性接続部に不正基板を接触させて行われる不正を困難なものとすることが可能となる。また、囲い部の先端部が取付部の収容部に収容される構成とすることにより、囲い部によって形成される領域の外方から不正な異物等を導電性接続部に向けて挿入することを困難なものとすることが可能となる。
【０１１４】
遊技機６．上記遊技機５において、前記囲い部は、基端から先端までの長さが前記導電性接続部の基端から先端までの長さより長いことを特徴とする遊技機。
【０１１５】
本遊技機によれば、囲い部の基端から先端までの長さを導電性接続部の基端から先端までの長さより長くすることにより、取付部と中継基板の第２所定面との距離を長く確保することが可能となり、中継基板の第２所定面側の損傷を抑制することが可能となる。
【０１１６】
遊技機７．上記遊技機５又は遊技機６において、前記囲い部と前記中継基板を連結する連結部材（締結具２５３）を備え、前記囲い部及び前記中継基板は、前記囲い部が前記中継基板に連結された場合に互いに連通する連通孔部（挿通孔２５２、締結孔２６０）を有し、前記囲い部を、前記連結部材が前記中継基板の前記所定面側から前記連通孔部に挿入されることによって前記中継基板に連結される構成としたことを特徴とする遊技機。
【０１１７】
本遊技機によれば、囲い部と中継基板は連結部材により連結されており、連結部材は、中継基板の所定面側から連通孔部に挿入されている。かかる構成とすることにより、中継基板が収容部材に収容されている場合に、連結部材が囲い部及び中継基板から取り外されることを収容部材によって規制することができる。故に、不正に囲い部が中継基板から取り外されることを抑制することが可能となる。
【０１１８】
遊技機８．上記遊技機１において、前記取付部に前記中継基板側に膨出する膨出部（膨出部３７０，４７０）を形成したことを特徴とする遊技機。
【０１１９】
本遊技機によれば、取付部に中継基板側に膨出する膨出部が形成されており、当該膨出部に囲い部が形成されている。かかる構成とすることにより、中継基板と取付部の間に不正基板を設置するための領域を確保することが困難なものとなり、不正行為を抑制することが可能となる。
【０１２０】
遊技機９．上記遊技機８において、前記膨出部を、前記中継基板の前記第２所定面と対向する対向面部が前記第２所定面と近接するよう、前記取付部に形成したことを特徴とする遊技機。
【０１２１】
本遊技機によれば、膨出部は対向面部が中継基板の第２所定面と近接するように形成されている。かかる構成とすることにより、第２所定面と取付部との間に形成される所定の隙間領域を膨出部によって埋めることが可能となる。
【０１２２】
遊技機１０．上記遊技機９において、前記膨出部に、前記囲い部として前記導電性接続部を収容する収容部を形成したことを特徴とする遊技機。
【０１２３】
本遊技機によれば、膨出部に導電性接続部を収容するための収容部が形成されているため、不正行為を抑制しつつ、膨出部と導電性接続部が接触することで当該導電性接続部が損傷することを回避することが可能となる。
【０１２４】
遊技機１１．上記遊技機１０において、前記収容部は前記導電性接続部を１つのみ収容可能な大きさであることを特徴とする遊技機。
【０１２５】
本遊技機によれば、収容部の大きさが導電性接続部を１つのみ収容可能な大きさであるため、収容部内の余剰領域を利用して不正がなされることを抑制することが可能となる。
【０１２６】
遊技機１２．上記遊技機１０において、前記収容部は前記導電性収容部を個々に収容可能であることを特徴とする遊技機。
【０１２７】
本遊技機によれば、収容部が導電性接続部を個々に収容可能であるため、収容部内の余剰領域を利用して不正がなされることを抑制することが可能となる。
【０１２８】
遊技機１３．上記遊技機１乃至遊技機１２のいずれかにおいて、前記収容部材を透明な合成樹脂材料にて形成したことを特徴とする遊技機。
【０１２９】
本遊技機によれば、収容部材は透明な合成樹脂材料にて形成されている。かかる構成とすることにより、被接続部材を有する所定面側を収容部材により覆う構成とした場合であっても、中継基板を収容部材から取り外すことなく、中継基板の所定面に異常等が発生していないかを確認することが可能となる。
【０１３０】
遊技機１４．上記遊技機１３において、前記中継基板に、前記所定面から前記第２所定面に貫通する貫通孔（貫通孔１５６）を形成したことを特徴とする遊技機。
【０１３１】
本遊技機によれば、中継基板に所定面から第２所定面に貫通する貫通孔が形成されているため、中継ユニットを取付部に取り付けたままの状態で、第２所定面と取付部との間に形成された所定の隙間領域に不正基板等が設置されていないかを所定面側から確認することが可能となる。
【符号の説明】
【０１３２】
１０…遊技機としてのパチンコ機、１１…外枠、１２…本体枠、１３…前扉枠、１５…遊技盤、２９…遊技球発射ハンドル、３０…遊技球発射手段としての遊技球発射装置、３４…可変入球装置としての可変入賞装置、３５…作動口装置、３５ａ…第１作動口としての上側作動口、３５ｂ…第２作動口としての下側作動口、３７…可変表示ユニット、４１…絵柄表示装置及び保留状況表示手段としての図柄表示装置、４３ａ…第１識別情報表示手段としての第１特定ランプ部、４３ｂ…第２識別情報表示手段としての第２特定ランプ部、４４…役物ランプ部、７１…主制御装置、９２…電源・発射制御装置、９４…払出制御装置、１５０…外部中継ユニット、１５１…外部中継端子板、１５２…第１ソケット、１５３…第２ソケット、１５４…第３ソケット、１５６…貫通孔、１６１…カバー部材、１６２…収容部、１６５…第２係止爪部、１７３…リブ、１７４…第１囲い部、１７５…第２囲い部、１７６…第３囲い部、１７７…第４囲い部、２５０…外部中継ユニット、２５１…外部中継端子板、２５２…挿通孔、２５３…締結具、２５４…半田部材及び端子部材、２５５…囲い部材、２６１…囲い部、２７４…開口孔部、３５０…外部中継ユニット、３５１…外部中継端子板、３７０…膨出部、３７０ａ…脚部、３７０ｂ…対向部、３７２…第１開口孔部、３７３…第２開口孔部、３７４…第３開口孔部、３７５…第４開口孔部、３７６…第５開口孔部、３７７…第６開口孔部、４５０…外部中継ユニット、４７０…膨出部、４７１…収容凹部。
【図１】
2010207306.tif 000003
【図２】
2010207306.tif 000004
【図３】
2010207306.tif 000005
【図４】
2010207306.tif 000006
【図５】
2010207306.tif 000007
【図６】
2010207306.tif 000008
【図７】
2010207306.tif 000009
【図８】
2010207306.tif 000010
【図９】
2010207306.tif 000011
【図１０】
2010207306.tif 000012
【図１１】
2010207306.tif 000013
【図１２】
2010207306.tif 000014
【図１３】
2010207306.tif 000015